(57)【要約】【課題】原稿の表面形状を所望の態様で読み取ることができる技術を提供する。【解決手段】イメージスキャナー１０は、相互に交差する方向ＤＬａ，ＤＬｂから原稿９０に光を照射する照明装置４０ａ，４０ｂを備え、照明装置４０ａ，４０ｂの一方で原稿９０を照射する１ライン照射モードと、照明装置４０ａ，４０ｂの両方で原稿９０を照射する２ライン照射モードとのうち、ユーザーからの指示入力に基づいて選定された照射モードで原稿９０の読み取りを実行する。【選択図】図２
2010243666.tif 000002
【特許請求の範囲】
【請求項１】
原稿を光学的に読み取る画像読取装置を制御する制御装置であって、
前記画像読取装置に設けられた第１および第２の照明部であって、線状の発光領域をそれぞれ形成し、相互に交差する方向から前記原稿に光を照射する第１および第２の照明部を制御する照明制御部を備え、
前記照明制御部は、
前記第１および第２の照明部の一方で前記原稿を照射する第１のモードで、前記第１および第２の照明部を制御する第１モード部と、
前記第１および第２の照明部の両方で前記原稿を照射する第２のモードで、前記第１および第２の照明部を制御する第２モード部と、
前記原稿を光学的に読み取る際に、前記第１および第２のモードのいずれかを、ユーザーからの指示入力に基づいて選定するモード選定部と
を含む、制御装置。
【請求項２】
請求項１に記載の制御装置であって、
前記モード選定部は、更に、
前記モード選定部が第１および第２のモードのいずれかを選定する前に、前記第２のモードで前記原稿を光学的に読み取った先行画像を取得する先行読取部と、
前記先行画像をユーザーに提示すると共に、前記第１および第２のモードのいずれかを選択する指示入力を前記ユーザーから受け付ける第１のユーザーインターフェース部と
を含む、制御装置。
【請求項３】
前記モード選定部は、更に、前記第１および第２の照明部の各々から照射される光量、および前記第１および第２の照明部の各々における発光領域に分布する光の配分、の少なくとも一方を調節する指示入力を前記ユーザーから受け付ける第２のユーザーインターフェース部を含む請求項１または請求項２に記載の制御装置。
【請求項４】
前記モード選定部は、更に、前記第１および第２のモードの各々で前記原稿を光学的に読み取った場合に予測されるサンプル画像を前記ユーザーに提示する第３のユーザーインターフェース部を含む請求項１ないし請求項３のいずれかに記載の制御装置。
【請求項５】
原稿を光学的に読み取る画像読取装置であって、
線状の発光領域をそれぞれ形成し、相互に交差する方向から前記原稿に光を照射する第１および第２の照明部と、
前記第１および第２の照明部を制御する照明制御部と
を備え、
前記照明制御部は、
前記第１および第２の照明部の一方で前記原稿を照射する第１のモードで、前記第１および第２の照明部を制御する第１モード部と、
前記第１および第２の照明部の両方で前記原稿を照射する第２のモードで、前記第１および第２の照明部を制御する第２モード部と、
前記原稿を光学的に読み取る際に、前記第１および第２のモードのいずれかを、ユーザーからの指示入力に基づいて選定するモード選定部と
を含む、画像読取装置。
【請求項６】
原稿を光学的に読み取る画像読取装置を制御する機能をコンピューターに実現させるためのプログラムであって、
コンピューターが、前記画像読取装置に設けられた第１および第２の照明部であって、線状の発光領域をそれぞれ形成し、相互に交差する方向から前記原稿に光を照射する第１および第２の照明部を制御する照明制御機能を実現させるためのプログラムであり、
前記照明制御機能は、
前記第１および第２の照明部の一方で前記原稿を照射する第１のモードで、前記第１および第２の照明部を制御する機能と、
前記第１および第２の照明部の両方で前記原稿を照射する第２のモードで、前記第１および第２の照明部を制御する機能と、
前記原稿を光学的に読み取る際に、前記第１および第２のモードのいずれかを、ユーザーからの指示入力に基づいて選定する機能と
を含む、プログラム。
【請求項７】
原稿を光学的に読み取る画像読取装置を制御する制御方法であって、
コンピューターが、前記画像読取装置に設けられた第１および第２の照明部であって、線状の発光領域をそれぞれ形成し、相互に交差する方向から前記原稿に光を照射する第１および第２の照明部を制御する照明制御工程を備え、
前記照明制御工程は、前記原稿を光学的に読み取る際に、前記第１および第２の照明部の一方で前記原稿を照射する第１のモード、および前記第１および第２の照明部の両方で前記原稿を照射する第２のモードのいずれかを、ユーザーからの指示入力に基づいて選定する工程を含む、制御方法。
【発明の詳細な説明】
【技術分野】
【０００１】
本発明は、原稿を光学的に読み取る画像読取装置（イメージスキャナー）に関する。
【背景技術】
【０００２】
画像読取装置としては、線状の発光領域を形成して一方向から原稿に光を照射し、原稿から反射した光を読み取ることによって、原稿を光学的に読み取った画像データを生成するものが知られている（特許文献１）。このような画像読取装置では、一方向から原稿に光を照射することから、原稿表面で乱反射した光（フレアー）に起因する画像のボケを抑制し、原稿を鮮明に読み取ることができる。
【先行技術文献】
【特許文献】
【０００３】
【特許文献１】特開２００９−２７４６７号公報
【発明の概要】
【発明が解決しようとする課題】
【０００４】
しかしながら、従来の画像読取装置では、原稿を鮮明に読み取ることができるがために、シワが付いた原稿や、表面に凹凸が施された原稿を読み取った場合、不必要な原稿のシワや凹凸までも読み取ってしまうという問題があった。
【０００５】
本発明は、上記した課題を踏まえ、原稿の表面形状を所望の態様で読み取ることができる技術を提供することを目的とする。
【課題を解決するための手段】
【０００６】
本発明は、上述の課題の少なくとも一部を解決するためになされたものであり、以下の形態または適用例として実現することが可能である。
【０００７】
［適用例１］  適用例１の制御装置は、原稿を光学的に読み取る画像読取装置を制御する制御装置であって、前記画像読取装置に設けられた第１および第２の照明部であって、線状の発光領域をそれぞれ形成し、相互に交差する方向から前記原稿に光を照射する第１および第２の照明部を制御する照明制御部を備え、前記照明制御部は、前記第１および第２の照明部の一方で前記原稿を照射する第１のモードで、前記第１および第２の照明部を制御する第１モード部と、前記第１および第２の照明部の両方で前記原稿を照射する第２のモードで、前記第１および第２の照明部を制御する第２モード部と、前記原稿を光学的に読み取る際に、前記第１および第２のモードのいずれかを、ユーザーからの指示入力に基づいて選定するモード選定部とを含むことを特徴とする。適用例１の制御装置によれば、原稿を照らす照明の態様をユーザーの要望に応じて切り替えることによって、読み取った画像に原稿の表面形状が与える影響を調整することができる。その結果、原稿におけるシワや凹凸などの表面形状を所望の態様で読み取ることができる。
【０００８】
［適用例２］  適用例１の制御装置であって、前記モード選定部は、更に、前記モード選定部が第１および第２のモードのいずれかを選定する前に、前記第２のモードで前記原稿を光学的に読み取った先行画像を取得する先行読取部と、前記先行画像をユーザーに提示すると共に、前記第１および第２のモードのいずれかを選択する指示入力を前記ユーザーから受け付ける第１のユーザーインターフェース部とを含むとしても良い。適用例２の制御装置によれば、ユーザーは、原稿の表面形状の影響を低減した先行画像を参照してモードを選択することができる。
【０００９】
［適用例３］  適用例１または適用例２の制御装置であって、前記モード選定部は、更に、前記第１および第２の照明部の各々から照射される光量、および前記第１および第２の照明部の各々における発光領域に分布する光の配分、の少なくとも一方を調節する指示入力を前記ユーザーから受け付ける第２のユーザーインターフェース部を含むとしても良い。適用例３の制御装置によれば、ユーザーは、原稿の表面形状が撮像画像に与える影響を調整することができる。
【００１０】
［適用例４］  適用例１ないし適用例３のいずれかの制御装置であって、前記モード選定部は、更に、前記第１および第２のモードの各々で前記原稿を光学的に読み取った場合に予測されるサンプル画像を前記ユーザーに提示する第３のユーザーインターフェース部を含むとしても良い。適用例４の制御装置によれば、ユーザーは、各モードのサンプル画像を比較してモードを選定することができる。
【００１１】
［適用例５］  適用例５の画像読取装置は、原稿を光学的に読み取る画像読取装置であって、線状の発光領域をそれぞれ形成し、相互に交差する方向から前記原稿に光を照射する第１および第２の照明部と、前記第１および第２の照明部を制御する照明制御部とを備え、前記照明制御部は、前記第１および第２の照明部の一方で前記原稿を照射する第１のモードで、前記第１および第２の照明部を制御する第１モード部と、前記第１および第２の照明部の両方で前記原稿を照射する第２のモードで、前記第１および第２の照明部を制御する第２モード部と、前記原稿を光学的に読み取る際に、前記第１および第２のモードのいずれかを、ユーザーからの指示入力に基づいて選定するモード選定部とを含むことを特徴とする。適用例５の画像読取装置によれば、原稿を照らす照明の態様をユーザーの要望に応じて切り替えることによって、読み取った画像に原稿の表面形状が与える影響を調整することができる。その結果、原稿におけるシワや凹凸などの表面形状を所望の態様で読み取ることができる。
【００１２】
［適用例６］  適用例６のプログラムは、原稿を光学的に読み取る画像読取装置を制御する機能をコンピューターに実現させるためのプログラムであって、コンピューターが、前記画像読取装置に設けられた第１および第２の照明部であって、線状の発光領域をそれぞれ形成し、相互に交差する方向から前記原稿に光を照射する第１および第２の照明部を制御する照明制御機能を実現させるためのプログラムであり、前記照明制御機能は、前記第１および第２の照明部の一方で前記原稿を照射する第１のモードで、前記第１および第２の照明部を制御する機能と、前記第１および第２の照明部の両方で前記原稿を照射する第２のモードで、前記第１および第２の照明部を制御する機能と、前記原稿を光学的に読み取る際に、前記第１および第２のモードのいずれかを、ユーザーからの指示入力に基づいて選定する機能とを含むことを特徴とする。適用例６の画像読取装置によれば、原稿を照らす照明の態様をユーザーの要望に応じて切り替えることによって、読み取った画像に原稿の表面形状が与える影響を調整することができる。その結果、原稿におけるシワや凹凸などの表面形状を所望の態様で読み取ることができる。
【００１３】
［適用例７］  適用例７の制御方法は、原稿を光学的に読み取る画像読取装置を制御する制御方法であって、コンピューターが、前記画像読取装置に設けられた第１および第２の照明部であって、線状の発光領域をそれぞれ形成し、相互に交差する方向から前記原稿に光を照射する第１および第２の照明部を制御する照明制御工程を備え、前記照明制御工程は、前記原稿を光学的に読み取る際に、前記第１および第２の照明部の一方で前記原稿を照射する第１のモード、および前記第１および第２の照明部の両方で前記原稿を照射する第２のモードのいずれかを、ユーザーからの指示入力に基づいて選定する工程を含むことを特徴とする。適用例７の制御方法によれば、原稿を照らす照明の態様をユーザーの要望に応じて切り替えることによって、読み取った画像に原稿の表面形状が与える影響を調整することができる。その結果、原稿におけるシワや凹凸などの表面形状を所望の態様で読み取ることができる。
【００１４】
本発明の形態は、制御装置、画像読取装置、プログラム、制御方法に限るものではなく、他の形態に適用することもできる。また、本発明は、前述の形態に何ら限定されるものではなく、本発明の趣旨を逸脱しない範囲内において様々な形態で実施し得ることは勿論である。
【図面の簡単な説明】
【００１５】
【図１】画像読取システムの外観構成を示す説明図である。
【図２】イメージスキャナーの内部構成を模式的に示す説明図である。
【図３】照明装置の詳細構成を示す部分断面図である。
【図４】照明装置の詳細構成を示す分解斜視図である。
【図５】画像読取システムにおけるパーソナルコンピューターの詳細構成を示す説明図である。
【図６】画像読取システムのパーソナルコンピューターが実行する画像読取制御処理を示すフローチャートである。
【図７】モード指定受付処理においてユーザーに提示されるＧＵＩの一例を示す説明図である。
【図８】第１の変形例における画像読取システムのパーソナルコンピューターが実行する画像読取制御処理を示すフローチャートである。
【図９】第１の変形例におけるモード指定受付処理においてユーザーに提示されるＧＵＩの一例を示す説明図である。
【図１０】第２の変形例における画像読取システムのパーソナルコンピューターが実行する画像読取制御処理を示すフローチャートである。
【図１１】第２の変形例におけるモード指定受付処理においてユーザーに提示されるＧＵＩの一例を示す説明図である。
【図１２】モード処理受付処理においてユーザーに提示されるＧＵＩの一例を示す説明図である。
【発明を実施するための形態】
【００１６】
以上説明した本発明の構成および作用を一層明らかにするために、以下本発明を適用した画像読取システムについて説明する。
【００１７】
Ａ．実施例：
Ａ１．画像読取システムの構成：
図１は、画像読取システム１の外観構成を示す説明図である。画像読取システム１は、原稿９０に基づく画像データを生成するシステムである。画像読取システム１は、イメージスキャナー１０と、パーソナルコンピューター２０とを備える。
【００１８】
画像読取システム１のイメージスキャナー１０は、フラットベッド方式の画像読取装置であり、原稿９０を光学的に読み取り画像データを生成する。イメージスキャナー１０は、本体筐体１１０と、蓋筐体１２０と、原稿台１３０と、画像読取部１４０と、主制御部１５０と、機器インターフェース１８０と、ユーザーインターフェース１９０とを備える。
【００１９】
イメージスキャナー１０の本体筐体１１０は、画像読取部１４０を収容する。本実施例では、本体筐体１１０は、直方体状の箱体である。
【００２０】
イメージスキャナー１０の原稿台１３０は、本体筐体１１０に設けられ、原稿９０を載せる平面を構成し、その平面の一部として、透明な素材で形成された透明部１３２を備える。本実施例では、原稿台１３０は、本体筐体１１０の上面に設けられ、原稿台１３０の透明部１３２は、本体筐体１１０の上面よりも小さな矩形状の無色透明なガラスである。
【００２１】
イメージスキャナー１０の蓋筐体１２０は、原稿台１３０の上方を開閉可能な蓋体であり、本体筐体１１０に設けられている。本実施例では、蓋筐体１２０は、原稿台１３０の透明部１３２よりも大きな形状を有し、本体筐体１１０に軸着されている。
【００２２】
イメージスキャナー１０の画像読取部１４０は、原稿台１３０の透明部１３２に載せられた原稿を走査して光学的に読み取り、その原稿を表現する画像データを生成する。画像読取部１４０の構成についての詳細は後述する。
【００２３】
イメージスキャナー１０の機器インターフェース１８０は、パーソナルコンピューター２０との間で情報のやり取りを行う。本実施例では、機器インターフェース１８０は、ＵＳＢ（Universal Serial Bus）規格に準拠したインターフェースであるが、他の実施形態において、ネットワークを介してパーソナルコンピューター２０に接続するインターフェースであっても良い。
【００２４】
イメージスキャナー１０のユーザーインターフェース１９０は、イメージスキャナー１０を使用するユーザーとの間で情報のやり取りを行う。本実施例では、ユーザーインターフェース１９０は、ユーザーからの操作入力を受け付ける操作ボタンを備え、他の実施形態において、更に、ユーザーに向けて種々の情報を表示する画像表示部を備えても良い。
【００２５】
図２は、イメージスキャナー１０の内部構成を模式的に示す説明図である。イメージスキャナー１０の画像読取部１４０は、キャリッジ１４２と、搬送機構部１４４と、ガイド軸１４６とを備える。
【００２６】
画像読取部１４０のキャリッジ１４２は、原稿９０を光学的に読み取る各種の構成部品を搭載し、走査方向ＤＳに沿って原稿９０に対して相対的に往復移動する往復台である。画像読取部１４０のガイド軸１４６は、走査方向ＤＳに沿った軸であり、走査方向ＤＳに沿って往復移動するキャリッジ１４２を支持する。
【００２７】
画像読取部１４０の搬送機構部１４４は、主制御部１５０の指示に基づいて、キャリッジ１４２を走査方向ＤＳに沿って原稿９０に対して相対的に移動させる機構である。本実施例では、搬送機構部１４４は、駆動モーター、タイミングベルト、プーリーなどを備えるベルト駆動方式の搬送機構である。
【００２８】
画像読取部１４０は、キャリッジ１４２に搭載された各種の構成部品として、照明装置４０ａ，４０ｂと、反射鏡５１，５２，５３，５４と、レンズユニット５５と、撮像装置５６とを備える。
【００２９】
画像読取部１４０の照明装置４０ａ，４０ｂは、主制御部１５０の指示に基づいて、線状の発光領域をそれぞれ形成し、相互に交差する方向ＤＬａ，ＤＬｂから原稿９０に光を照射する第１および第２の照明部である。図２に示すように、照明装置４０ａから照射される光の方向ＤＬａは、照明装置４０ｂから照射される光の方向ＤＬｂと交差し、照明装置４０ａ，４０ｂの各々から照射される光は、原稿９０の読み取り面における略同じ位置に照射される。
【００３０】
図３は、照明装置４０ａ，４０ｂの詳細構成を示す部分断面図である。図４は、照明装置４０ａ，４０ｂの詳細構成を示す分解斜視図である。照明装置４０ａ，４０ｂは、キャリッジ１４２の一部を構成する照明筐体４１０に設けられている。照明装置４０ａは、発光基板４２０ａと、ディフューザー４３０ａと、リフレクター４４２ａ，４４４ａとを備える。
【００３１】
照明装置４０ａの発光基板４２０ａは、複数の発光素子４２２ａを並べて実装した長尺状のプリント基板である。本実施例では、発光素子４２２ａは、白色光を発光するＬＥＤ（Light Emitting Diode）であるが、他の実施形態において、他の光源を用いても良い。本実施例では、発光基板４２０ａは、２０個の発光素子４２２ａを一列に並べて実装するが、他の実施形態において、発光素子４２２ａの個数を変更しても良いし、発光素子４２２ａを二列以上に並べて実装しても良い。
【００３２】
照明装置４０ａのディフューザー４３０ａは、長尺状の透明または乳白色の合成樹脂で形成され、発光基板４２０ａにおける複数の発光素子４２２ａから発する光を拡散して原稿９０へと放出する光拡散部材である。ディフューザー４３０ａは、複数の発光素子４２２ａの並びに沿った細長い長尺面４３２ａを備え、この長尺面４３２ａから光を放出することによって線状の発光領域を形成する。
【００３３】
照明装置４０ａのリフレクター４４２ａ，４４４ａは、発光基板４２０ａの発光素子４２２ａから発する光を、ディフューザー４３０ａの長尺面４３２ａへと反射させる光反射部材である。本実施例では、リフレクター４４２ａ，４４４ａは、メッキ塗装が施された合成樹脂であるが、他の実施形態において、金属板や鏡であっても良い。
【００３４】
照明装置４０ｂの構成は、図３に示すように、照明装置４０ａに対向して照明装置４０ａと線対称な構造である点を除き、照明装置４０ａと同様である。なお、本明細書および図面において、照明装置４０ｂを構成する各部材の符号は、対応する照明装置４０ａの部材に付された符号のうち「ａ」を「ｂ」に置き換えたものである。
【００３５】
図２の説明に戻り、画像読取部１４０の反射鏡５１，５２，５３，５４は、原稿９０から反射した反射光をレンズユニット５５へと反射させる。画像読取部１４０のレンズユニット５５は、一列に配列された複数のレンズを備え、反射鏡５４からの反射光を撮像装置５６に結像させる。画像読取部１４０の撮像装置５６は、主制御部１５０の指示に基づいて、レンズユニット５５によって結像された反射光を電気信号に変換する。本実施例では、撮像装置５６は、撮像素子としてＣＣＤ(Charge Coupled Device)を備えるが、他の実施形態において、ＣＭＯＳ(Complementary Metal Oxide Semiconductor)を始めとする他の撮像素子であっても良い。本実施例では、原稿９０から撮像装置５６に到達する反射光の経路ＲＬは、照明装置４０ａ，４０ｂの間を通過した後、反射鏡５１，５２，５３，５４を順に経由してレンズユニット５５に至る。
【００３６】
イメージスキャナー１０の主制御部１５０は、イメージスキャナー１０における画像読取部１４０、機器インターフェース１８０、およびユーザーインターフェース１９０の各部と電気的に接続され、これら各部を制御する。具体的には、主制御部１５０は、照明装置４０ａ，４０ｂの各々の点灯を制御する点灯制御、搬送機構部１４４の駆動を制御する搬送制御、撮像装置５６の撮像を制御する撮像制御などを実行する。本実施例では、主制御部１５０は、機器インターフェース１８０を通じてパーソナルコンピューター２０と通信可能であり、パーソナルコンピューター２０からの指示に基づいて各種の制御処理を実行する。
【００３７】
イメージスキャナー１０において原稿９０を読み取る際には、主制御部１５０は、照明装置４０ａ，４０ｂの少なくとも一方を点灯させた状態で、キャリッジ１４２を走査方向ＤＳに移動させながら、キャリッジ１４２の移動に同期した間隔で撮像装置５６から電気信号を取得する。その後、主制御部１５０は、撮像装置５６からの電気信号に基づいて画像データを生成する。その後、主制御部１５０は、機器インターフェース１８０を通じてパーソナルコンピューター２０に画像データを転送する。
【００３８】
本実施例では、主制御部１５０の機能は、ソフトウェアに基づいてセントラルプロセッシングユニット（Central Processing Unit、以下、「ＣＰＵ」と呼ぶ）が動作することによって実現されるが、他の実施形態において、主制御部１５０の電子回路がその物理的な回路構成に基づいて動作することによって実現されても良い。
【００３９】
図５は、画像読取システム１におけるパーソナルコンピューター２０の詳細構成を示す説明図である。パーソナルコンピューター２０は、ＣＰＵ２１０と、記憶装置２２０と、機器インターフェース２３０と、ディスプレイ２５２と、キーボード２５４と、マウス２５６とを備える。
【００４０】
パーソナルコンピューター２０において、ＣＰＵ２１０は、記憶装置２２０に記憶されたプログラムに基づいて種々の演算処理を実行し、記憶装置２２０は、ＣＰＵ２１０によって処理されるデータを記憶する。記憶装置２２０に記憶されているプログラムは、オペレーティングシステム（Operating System、ＯＳ）２８２の他、アプリケーションプログラム（Application Program）の一つとしてスキャナードライバー２８４を含む。スキャナードライバー２８４は、イメージスキャナー１０を制御する機能をＣＰＵ２１０に実現させるためのプログラムであり、スキャナードライバー２８４に基づいてＣＰＵ２１０が動作することによって、パーソナルコンピューター２０は、イメージスキャナー１０を制御する制御装置として機能する。
【００４１】
パーソナルコンピューター２０は、スキャナードライバー２８４に基づいてＣＰＵ２１０が動作することによって実現される機能として、画像読取制御部８１０を備える。画像読取制御部８１０は、機器インターフェース２３０を介してイメージスキャナー１０の動作を制御し、照明装置４０ａ，４０ｂを制御する照明制御部としても動作する。画像読取制御部８１０は、第１モード部８１１と、第２モード部８１２と、モード選定部８１４とを備える。
【００４２】
画像読取制御部８１０の第１モード部８１１は、照明装置４０ａ，４０ｂの一方で原稿９０を照射する第１のモードである「１ライン照明モード」で照明装置４０ａ，４０ｂを制御する。画像読取制御部８１０の第２モード部８１２は、照明装置４０ａ，４０ｂの両方で原稿９０を照射する第２のモードである「２ライン照明モード」で照明装置４０ａ，４０ｂを制御する。画像読取制御部８１０のモード選定部８１４は、原稿９０を光学的に読み取る際に、１ライン照明モードおよび２ライン照明モードのいずれかを、ユーザーからの指示入力に基づいて選定する。
【００４３】
パーソナルコンピューター２０の機器インターフェース２３０は、イメージスキャナー１０との間で情報のやり取りを行う。本実施例では、機器インターフェース２３０は、ＵＳＢ（Universal Serial Bus）規格に準拠したインターフェースであるが、他の実施形態において、ネットワークを介してイメージスキャナー１０に接続するインターフェースであっても良い。
【００４４】
パーソナルコンピューター２０のディスプレイ２５２は、ユーザーに向けて画像を表示するユーザーインターフェースである。パーソナルコンピューター２０のキーボード２５４およびマウス２５６は、ユーザーからの指示入力を受け付けるユーザーインターフェースである。
【００４５】
Ａ２．画像読取システムの動作：
図６は、画像読取システム１のパーソナルコンピューター２０が実行する画像読取制御処理（ステップＳ１０）を示すフローチャートである。画像読取制御処理（ステップＳ１０）は、イメージスキャナー１０の動作を制御する処理である。本実施例では、スキャナードライバー２８４に基づいてＣＰＵ２１０が画像読取制御部８１０として動作することによって、パーソナルコンピューター２０は、画像読取制御処理（ステップＳ１０）を実行する。
【００４６】
画像読取制御処理（ステップＳ１０）を開始すると、パーソナルコンピューター２０は、イメージスキャナー１０との接続を確立する初期設定処理（ステップＳ１０１）を実行する。
【００４７】
初期設定処理（ステップＳ１０１）の後、パーソナルコンピューター２０は、原稿９０の読み取りの開始を示す開始指示の有無を判断する（ステップＳ１０２）。本実施例では、ユーザーがイメージスキャナー１０の原稿台１３０に原稿９０を配置した後、イメージスキャナー１０のユーザーインターフェース１９０に入力された指示入力に基づいて、パーソナルコンピューター２０は、開始指示の有無を判断する。
【００４８】
開始指示がある場合（ステップＳ１０２：「ＹＥＳ」）、パーソナルコンピューター２０は、モード指定受付処理（ステップＳ１０４）を実行する。モード指定受付処理（ステップＳ１０４）では、パーソナルコンピューター２０は、１ライン照明モードおよび２ライン照明モードのいずれのモードで原稿９０の読み取りを実行するかの指定をユーザーから受け付ける。本実施例では、モード指定受付処理（ステップＳ１０４）において、パーソナルコンピューター２０は、グラフィカルユーザーインターフェース（Graphical User Interface、以下、「ＧＵＩ」と呼ぶ）を通じてモードの指定をユーザーから受け付ける。
【００４９】
図７は、モード指定受付処理（ステップＳ１０４）においてユーザーに提示されるＧＵＩ７０の一例を示す説明図である。パーソナルコンピューター２０において、ＧＵＩ７０は、ディスプレイ２５２に表示され、マウス２５６を介したユーザーからの指示入力を受け付ける。ＧＵＩ７０は、入力ボタン７０１，７０２，７０３，７０４と、実行ボタン７０８と、キャンセルボタン７０９とを備える。本実施例では、入力ボタン７０１，７０２，７０３，７０４は、マウス２５６でクリックされることによって、黒丸と白丸とが切り替わり、黒丸は選択されている状態、白丸は選択されていない状態を示す。
【００５０】
ＧＵＩ７０の入力ボタン７０１は、１ライン照明モードの指定をユーザーから受け付けるユーザーインターフェースであり、ＧＵＩ７０の入力ボタン７０４は、２ライン照明モードの指定をユーザーから受け付けるユーザーインターフェースである。入力ボタン７０１，７０４は、一方が黒丸となり他方が白丸となって、１ライン照明モードおよび２ライン照明モードの一方が選択されるように設定されている。
【００５１】
ＧＵＩ７０の入力ボタン７０２は、１ライン照明モードが選択された場合に、前段ライン照明である照明装置４０ａの指定をユーザーから受け付けるユーザーインターフェースであり、ＧＵＩ７０の入力ボタン７０３は、１ライン照明モードが選択された場合に、後段ライン照明である照明装置４０ｂの指定をユーザーから受け付けるユーザーインターフェースである。入力ボタン７０２および入力ボタン７０３は、１ライン照明モードの入力ボタン７０１が選択されている場合に有効になり、一方が黒丸となり他方が白丸となって、照明装置４０ａ，４０ｂの一方が選択されるように設定されている。
【００５２】
ＧＵＩ７０の実行ボタン７０８は、各入力ボタンの状態を確定する指示入力をユーザーから受け付けるユーザーインターフェースであり、ＧＵＩ７０の実行ボタン７０８は、原稿９０の読み取りを取り消す指示入力をユーザーから受け付けるユーザーインターフェースである。例えば、図７に示す状態で実行ボタン７０８をマウス２５６でクリックすると、照明装置４０ｂを用いた１ライン照明モードで原稿９０の読み取りが実施される。
【００５３】
図６の説明に戻り、モード指定受付処理（ステップＳ１０４）の後、パーソナルコンピューター２０は、ＣＰＵ２１０がモード選定部８１４として動作することによって、１ライン照明モードおよび２ライン照明モードのいずれかを、モード指定受付処理（ステップＳ１０４）におけるユーザーからの指示入力に基づいて選定する（ステップＳ１０５）。本実施例では、ＧＵＩ７０において入力ボタン７０１の選択が確定された場合、１ライン照明モードが選定され、ＧＵＩ７０において入力ボタン７０４の選択が確定された場合、２ライン照明モードが選定される。本実施例では、ＧＵＩ７０において入力ボタン７０２の選択が確定された場合、照明装置４０ａを用いた１ライン照明モードが選定され、ＧＵＩ７０において入力ボタン７０３の選択が確定された場合、照明装置４０ｂを用いた１ライン照明モードが選定される。
【００５４】
１ライン照明モードが選定された場合（ステップＳ１０５：「Ａ」）、パーソナルコンピューター２０は、ＣＰＵ２１０が第１モード部８１１として動作することによって１ライン照明制御処理（ステップＳ１０６）を実行する。１ライン照明制御処理（ステップＳ１０６）において、パーソナルコンピューター２０は、照明装置４０ａ，４０ｂの一方で原稿９０を照射する１ライン照明モードで照明装置４０ａ，４０ｂを制御する。
【００５５】
他方、２ライン照明モードが選定された場合（ステップＳ１０５：「Ｂ」）、パーソナルコンピューター２０は、ＣＰＵ２１０が第２モード部８１２として動作することによって２ライン照明制御処理（ステップＳ１０７）を実行する。２ライン照明制御処理（ステップＳ１０７）において、パーソナルコンピューター２０は、照明装置４０ａ，４０ｂの両方で原稿９０を照射する２ライン照明モードで照明装置４０ａ，４０ｂを制御する。
【００５６】
本実施例では、１ライン照明制御処理（ステップＳ１０６）および２ライン照明制御処理（ステップＳ１０７）において、パーソナルコンピューター２０は、各々の照明モードで照明装置４０ａ，４０ｂを制御する制御データを、機器インターフェース２３０を通じてイメージスキャナー１０に送信する。その後、イメージスキャナー１０の主制御部１５０は、パーソナルコンピューター２０から受信した制御データに基づいて原稿９０の読み取りを実施し、その読み取りで生成された画像データをパーソナルコンピューター２０に送信する。
【００５７】
１ライン照明制御処理（ステップＳ１０６）および２ライン照明制御処理（ステップＳ１０７）の後、パーソナルコンピューター２０は、画像データ保存処理（ステップＳ１０８）を実行する。本実施例では、画像データ保存処理（ステップＳ１０８）において、パーソナルコンピューター２０は、イメージスキャナー１０から受信した画像データを記憶装置２２０に保存する。画像データ保存処理（ステップＳ１０８）の後、パーソナルコンピューター２０は、開始指示の有無を判断する処理（ステップＳ１０２）から画像読取制御処理（ステップＳ１０）を繰り返し実行する。
【００５８】
Ａ３．効果：
以上説明した画像読取システム１によれば、原稿９０を照らす照明装置４０ａ，４０ｂによる照明の態様をユーザーの要望に応じて切り替えることによって、読み取った画像に原稿９０の表面形状が与える影響を調整することができる。その結果、原稿９０におけるシワや凹凸などの表面形状を所望の態様で読み取ることができる。
【００５９】
例えば、原稿９０が文書である場合、照明装置４０ａ，４０ｂの一方で原稿９０を照射する１ライン照明モードで原稿９０を読み取ることによって、文字と余白との境界部（エッジ）におけるフレアーによるボケを抑制することができる。また、原稿９０の素材感や質感を画像で表現する場合、１ライン照明モードで原稿９０を読み取ることによって、読み取った画像に原稿９０の凹凸を反映させることができる。
【００６０】
また、原稿９０が、絹目調の写真用紙に印刷された写真である場合、照明装置４０ａ，４０ｂの両方で原稿９０を照射する２ライン照明モードで原稿９０を読み取ることによって、読み取った画像に絹目調の模様が入ってしまうことを抑制することができる。また、原稿９０が、複数の用紙を重ねた立体的なものである場合、照明装置４０ａ，４０ｂの両方で原稿９０を照射する２ライン照明モードで原稿９０を読み取ることによって、読み取った画像に影が入ってしまうことを抑制することができる。また、原稿９０にシワが付いている場合、照明装置４０ａ，４０ｂの両方で原稿９０を照射する２ライン照明モードで原稿９０を読み取ることによって、読み取った画像にシワが入ってしまうことを抑制することができる。
【００６１】
Ｂ．変形例：
Ｂ１．第１の変形例：
第１の変形例における画像読取システム１の構成は、前述した実施例と同様である。第１の変形例における画像読取システム１の動作は、パーソナルコンピューター２０が実行する画像読取制御処理が異なる点を除き、前述した実施例と同様である。
【００６２】
図８は、第１の変形例における画像読取システム１のパーソナルコンピューター２０が実行する画像読取制御処理（ステップＳ１１）を示すフローチャートである。画像読取制御処理（ステップＳ１１）は、イメージスキャナー１０の動作を制御する処理である。本実施例では、スキャナードライバー２８４に基づいてＣＰＵ２１０が画像読取制御部８１０として動作することによって、パーソナルコンピューター２０は、画像読取制御処理（ステップＳ１１）を実行する。
【００６３】
画像読取制御処理（ステップＳ１１）を開始すると、パーソナルコンピューター２０は、イメージスキャナー１０との接続を確立する初期設定処理（ステップＳ１１１）を実行する。初期設定処理（ステップＳ１１１）の後、パーソナルコンピューター２０は、原稿９０の読み取りの開始を示す開始指示の有無を判断する（ステップＳ１１２）。
【００６４】
開始指示がある場合（ステップＳ１１２：「ＹＥＳ」）、パーソナルコンピューター２０は、照明モードの選定に先立って、２ライン照明モードで原稿９０を光学的に読み取った先行画像を取得する先行読取処理（ステップＳ１１３）を実行する。先行読取処理（ステップＳ１１３）において、パーソナルコンピューター２０は、照明装置４０ａ，４０ｂの両方で原稿９０を照射する２ライン照明モードで照明装置４０ａ，４０ｂを制御するために、２ライン照明モードで照明装置４０ａ，４０ｂを制御する制御データを、機器インターフェース２３０を通じてイメージスキャナー１０に送信する。その後、イメージスキャナー１０の主制御部１５０は、パーソナルコンピューター２０から受信した制御データに基づいて原稿９０の読み取りを実施し、その読み取りで生成された画像データをパーソナルコンピューター２０に送信する。その後、パーソナルコンピューター２０は、この画像データに基づく画像を先行画像として処理する。
【００６５】
先行読取処理（ステップＳ１１３）の後、パーソナルコンピューター２０は、モード指定受付処理（ステップＳ１１４）を実行する。モード指定受付処理（ステップＳ１１４）では、パーソナルコンピューター２０は、１ライン照明モードおよび２ライン照明モードのいずれのモードで原稿９０の読み取りを実行するかの指定をユーザーから受け付ける。本実施例では、モード指定受付処理（ステップＳ１１４）において、パーソナルコンピューター２０は、ＧＵＩを通じてモードの指定をユーザーから受け付ける。
【００６６】
図９は、第１の変形例におけるモード指定受付処理（ステップＳ１１４）においてユーザーに提示されるＧＵＩ７１の一例を示す説明図である。第１の変形例におけるＧＵＩ７１は、先行読取処理（ステップＳ１１３）で取得された先行画像を表示する先行画像表示部７１５を備える点を除き、前述の実施例におけるＧＵＩ７０と同様である。ＧＵＩ７１の先行画像表示部７１５は、先行読取処理（ステップＳ１１３）で取得された先行画像をユーザーに向けて提示するユーザーインターフェースである。本実施例では、先行画像表示部７１５は、２ライン照明モードの指定をユーザーから受け付ける入力ボタン７０４の下段に設けられている。
【００６７】
図８の説明に戻り、モード指定受付処理（ステップＳ１１４）の後、パーソナルコンピューター２０は、ＣＰＵ２１０がモード選定部８１４として動作することによって、１ライン照明モードおよび２ライン照明モードのいずれかを、モード指定受付処理（ステップＳ１１４）におけるユーザーからの指示入力に基づいて選定する（ステップＳ１１５）。
【００６８】
１ライン照明モードが選定された場合（ステップＳ１１５：「Ａ」）、パーソナルコンピューター２０は、ＣＰＵ２１０が第１モード部８１１として動作することによって１ライン照明制御処理（ステップＳ１１６）を実行する。第１の変形例における１ライン照明制御処理（ステップＳ１１６）は、前述した実施例における１ライン照明制御処理（ステップＳ１０６）と同様である。１ライン照明制御処理（ステップＳ１１６）の後、パーソナルコンピューター２０は、１ライン照明モードで原稿９０を読み取った画像データをイメージスキャナー１０から取得して記憶装置２２０に保存する（ステップＳ１１８）。
【００６９】
他方、２ライン照明モードが選定された場合（ステップＳ１１５：「Ｂ」）、パーソナルコンピューター２０は、先行読取処理（ステップＳ１１３）において２ライン照明モードで取得済みの先行画像を表現する画像データを保存対象として準備する（ステップＳ１１７）。その後、パーソナルコンピューター２０は、先行読取処理（ステップＳ１１３）で取得された２ライン照明モードによる画像データを記憶装置２２０に保存する（ステップＳ１１８）。
【００７０】
以上説明した第１の変形例における画像読取システム１によれば、原稿９０を照らす照明装置４０ａ，４０ｂによる照明の態様をユーザーの要望に応じて切り替えることによって、読み取った画像に原稿９０の表面形状が与える影響を調整することができる。また、ＧＵＩ７１は、２ライン照明モードによる先行画像を表示する先行画像表示部７１５を備えることから、ユーザーは、原稿９０のシワや凹凸などの表面形状の影響を低減した先行画像を参照して照明モードを選択することができる。また、２ライン照明モードが選定された場合には（ステップＳ１１５「Ｂ」）、先行読取処理（ステップＳ１１３）において２ライン照明モードで取得済みの先行画像を利用することから、処理速度の向上を図ることができる。
【００７１】
Ｂ２．第２の変形例：
第２の変形例における画像読取システム１の構成は、前述した実施例と同様である。第２の変形例における画像読取システム１の動作は、パーソナルコンピューター２０が実行する画像読取制御処理が異なる点を除き、前述した実施例と同様である。
【００７２】
図１０は、第２の変形例における画像読取システム１のパーソナルコンピューター２０が実行する画像読取制御処理（ステップＳ１２）を示すフローチャートである。画像読取制御処理（ステップＳ１２）は、イメージスキャナー１０の動作を制御する処理である。本実施例では、スキャナードライバー２８４に基づいてＣＰＵ２１０が画像読取制御部８１０として動作することによって、パーソナルコンピューター２０は、画像読取制御処理（ステップＳ１２）を実行する。
【００７３】
第２の変形例における画像読取制御処理（ステップＳ１２）は、前述の実施例におけるモード指定受付処理（ステップＳ１０４）に代えて、サンプル生成処理（ステップＳ１２３）およびモード指定受付処理（ステップＳ１２４）を実行する点を除き、前述の実施例における画像読取処理（ステップＳ１０）と同様である。
【００７４】
第２の変形例における画像読取制御処理（ステップＳ１２）において、開始指示がある場合（ステップＳ１０２：「ＹＥＳ」）、パーソナルコンピューター２０は、１ライン照明モードおよび２ライン照明モードの各々で原稿９０を光学的に読み取った場合に予測されるサンプル画像を生成するサンプル生成処理（ステップＳ１２３）を実行する。
【００７５】
本実施例では、サンプル生成処理（ステップＳ１２３）において、パーソナルコンピューター２０は、１ライン照明モードおよび２ライン照明モードの各々で原稿９０の一部分を読み取る制御データをイメージスキャナー１０に送信することによって、１ライン照明モードおよび２ライン照明モードの各々で原稿９０の一部分を読み取った二つの画像データをイメージスキャナー１０から取得する。本実施例では、１ライン照明モードのサンプル画像は、前段ライン照明である照明装置４０ａを用いた１ライン照明モードで原稿９０の一部分を読み取った画像であるが、他の実施形態において、後段ライン照明である照明装置４０ｂを用いた１ライン照明モードで原稿９０の一部分を読み取った画像であっても良いし、照明装置４０ａ，４０ｂの各々を用いた１ライン照明モードによる二つのサンプル画像であっても良い。
【００７６】
サンプル生成処理（ステップＳ１２３）の後、パーソナルコンピューター２０は、モード指定受付処理（ステップＳ１２４）を実行する。モード指定受付処理（ステップＳ１２４）では、パーソナルコンピューター２０は、１ライン照明モードおよび２ライン照明モードのいずれのモードで原稿９０の読み取りを実行するかの指定をユーザーから受け付ける。本実施例では、モード指定受付処理（ステップＳ１２４）において、パーソナルコンピューター２０は、ＧＵＩを通じてモードの指定をユーザーから受け付ける。
【００７７】
図１１は、第２の変形例におけるモード指定受付処理（ステップＳ１２４）においてユーザーに提示されるＧＵＩ７２の一例を示す説明図である。第２の変形例におけるＧＵＩ７２は、サンプル生成処理（ステップＳ１２３）で生成されたサンプル画像を表示するサンプル画像表示部７２６，７２７を備える点を除き、前述の実施例におけるＧＵＩ７０と同様である。ＧＵＩ７２のサンプル画像表示部７２６は、１ライン照明モードで原稿９０の一部分を読み取ったサンプル画像をユーザーに向けて提示するユーザーインターフェースであり、ＧＵＩ７２のサンプル画像表示部７２７は、２ライン照明モードで原稿９０の一部分を読み取ったサンプル画像をユーザーに向けて提示するユーザーインターフェースである。本実施例では、サンプル画像表示部７２６，７２７は、ＧＵＩ７２における上段に左右に並べて配設されている。
【００７８】
図１０の説明に戻り、モード指定受付処理（ステップＳ１２４）の後、パーソナルコンピューター２０は、ＣＰＵ２１０がモード選定部８１４として動作することによって、１ライン照明モードおよび２ライン照明モードのいずれかを、モード指定受付処理（ステップＳ１２４）におけるユーザーからの指示入力に基づいて選定する（ステップＳ１１５）。この処理以降は、前述の実施例における画像読取処理（ステップＳ１０）と同様である。
【００７９】
以上説明した第２の変形例における画像読取システム１によれば、原稿９０を照らす照明装置４０ａ，４０ｂによる照明の態様をユーザーの要望に応じて切り替えることによって、読み取った画像に原稿９０の表面形状が与える影響を調整することができる。また、ＧＰＵ７２は、１ライン照明モードおよび２ライン照明モードの各々によるサンプル画像をそれぞれ表示するサンプル画像表示部７２６，７２７を備えることから、ユーザーは、各モードのサンプル画像を比較してモードを選定することができる。
【００８０】
Ｂ３．第３の変形例：
第３の変形例における画像読取システム１の構成および動作は、モード処理受付処理（ステップＳ１０４）においてユーザーに提示されるＧＵＩが異なる点を除き、前述した実施例と同様である。
【００８１】
図１２は、モード処理受付処理（ステップＳ１０４）においてユーザーに提示されるＧＵＩ７３の一例を示す説明図である。パーソナルコンピューター２０において、ＧＵＩ７３は、ディスプレイ２５２に表示され、マウス２５６を介するユーザーからの指示入力を受け付ける。ＧＵＩ７３は、入力ボタン７３２ａ，７３２ｂと、光量調整部７３４ａ,７３４ｂと、光分布調整部７３６ａ，７３６ｂと、実行ボタン７０８と、キャンセルボタン７０９とを備える。
【００８２】
ＧＵＩ７３の入力ボタン７３２ａは、前段ライン照明である照明装置４０ａを用いた１ライン照明モードの指定をユーザーから受け付けるユーザーインターフェースであり、ＧＵＩ７３の入力ボタン７３２ｂは、後段ライン照明である照明装置４０ｂを用いた１ライン照明モードの指定をユーザーから受け付けるユーザーインターフェースである。本実施例では、入力ボタン７３２ａ，７３２ｂは、マウス２５６でクリックすることによって、黒丸と白丸とが切り替わり、黒丸は選択されている状態、白丸は選択されていない状態を示す。本実施例では、入力ボタン７３２ａ，７３２ｂは、一方が黒丸となり他方が白丸となる状態、および両方が白丸となる状態のいずれかであり、両方が白丸の場合には、２ライン照明モードが選択されるように設定されている。
【００８３】
ＧＵＩ７３の光量調整部７３４ａは、前段ライン照明である照明装置４０ａから照射される光量の調節をユーザーから受け付けるユーザーインターフェースであり、ＧＵＩ７３の光量調整部７３４ｂは、後段ライン照明である照明装置４０ｂから照射される光量の調節をユーザーから受け付けるユーザーインターフェースである。本実施例では、光量調整部７３４ａ，７３４ｂは、照明装置４０ａ，４０ｂの光量をそれぞれ示すスケール７３４２ａ，７３４２ｂを備える。ユーザーは、スケール７３４２ａ，７３４２ｂの各々をマウス２５６でドラッグして移動させることによって、消灯状態の０％から最大光量の１００％の間で照明装置４０ａ，４０ｂの光量を個別に調整することが可能である。
【００８４】
ＧＵＩ７３の光分布調整部７３６ａは、前段ライン照明である照明装置４０ａに設けられた複数の発光素子４２２ａの個々から発する発光量の調整をユーザーから受け付けるユーザーインターフェースであり、ＧＵＩ７３の光分布調整部７３６ｂは、後段ライン照明である照明装置４０ｂに設けられた複数の発光素子４２２ｂの個々から発する発光量の調整をユーザーから受け付けるユーザーインターフェースである。本実施例では、光分布調整部７３６ａ，７３６ｂは、発光素子４２２ａ，４２２ｂの発光量を隣り合う他の発光素子４２２ａ，４２２ｂの発光量と滑らかに結んで複数の発光素子４２２ａ，４２２ｂにおける発光量の分布をそれぞれ示す曲線７３６２ａ，７３６２ｂを備える。ユーザーは、曲線７３６２ａ，７３６２ｂの各々を任意の部位で上下にドラッグして変形させることによって、照明装置４０ａ，４０ｂにおける長尺面４３２ａ，４３２ｂに分布する光の配分を個別に調整することが可能である。
【００８５】
以上説明した第３の変形例における画像読取システム１によれば、原稿９０を照らす照明装置４０ａ，４０ｂによる照明の態様をユーザーの要望に応じて切り替えることによって、読み取った画像に原稿９０の表面形状が与える影響を調整することができる。また、ＧＰＵ７３は、照明装置４０ａ，４０ｂから照射される光量の調節をユーザーから受け付ける光量調整部７３４ａ，７３４ｂと、照明装置４０ａに設けられた複数の発光素子４２２ａの各々から発する発光量の調整をユーザーから受け付ける光分布調整部７３６ａ，７３６ｂとを備えることから、ユーザーは、原稿９０の表面形状が撮像画像に与える影響を調整することができる。
【００８６】
Ｃ．その他の実施形態：
以上、本発明の実施の形態について説明したが、本発明はこうした実施の形態に何ら限定されるものではなく、本発明の趣旨を逸脱しない範囲内において様々な形態で実施し得ることは勿論である。
【００８７】
例えば、パーソナルコンピューター２０が実行する画像読取制御処理を、イメージスキャナー１０における主制御部１５０およびユーザーインターフェース１９０を用いて実行しても良い。
【００８８】
また、本実施例では、本発明をフラットベット方式のイメージスキャナー１０に適用する例を説明したが、他の実施形態において、自動原稿送り方式、ハンディー方式、ドラム方式などの他の方式によるイメージスキャナーに適用しても良いし、この他にも、ファクシミリ、複写機、複合機などの原稿読取装置に適用することができる。
【符号の説明】
【００８９】
１…画像読取システム
１０…イメージスキャナー
２０…パーソナルコンピューター
４０ａ，４０ｂ…照明装置
５１，５２，５３，５４…反射鏡
５５…レンズユニット
５６…撮像装置
９０…原稿
１１０…本体筐体
１２０…蓋筐体
１３０…原稿台
１３２…透明部
１４０…画像読取部
１４２…キャリッジ
１４４…搬送機構部
１４６…ガイド軸
１５０…主制御部
１８０…機器インターフェース
１９０…ユーザーインターフェース
２１０…ＣＰＵ
２２０…記憶装置
２３０…機器インターフェース
２５２…ディスプレイ
２５４…キーボード
２５６…マウス
２８２…ＯＳ
２８４…スキャナードライバー
４１０…照明筐体
４２０ａ，４２０ｂ…発光基板
４２２ａ，４２２ｂ…発光素子
４３０ａ，４３０ｂ…ディフューザー
４３２ａ，４３２ｂ…長尺面
４４２ａ，４４４ａ，４４２ｂ，４４４ｂ…リフレクター
７０１，７０２，７０３，７０４…入力ボタン
７０８…実行ボタン
７０９…キャンセルボタン
７１５…先行画像表示部
７２６，７２７…サンプル画像表示部
７３２ａ，７３２ｂ…入力ボタン
７３４ａ，７３４ｂ…光量調整部
７３６ａ，７３６ｂ…光分布調整部
８１０…画像読取制御部
８１１…第１モード部
８１２…第２モード部
８１４…モード選定部
７３４２ａ…スケール
７３６２ａ…曲線
【図１】
2010243666.tif 000003
【図２】
2010243666.tif 000004
【図３】
2010243666.tif 000005
【図４】
2010243666.tif 000006
【図５】
2010243666.tif 000007
【図６】
2010243666.tif 000008
【図７】
2010243666.tif 000009
【図８】
2010243666.tif 000010
【図９】
2010243666.tif 000011
【図１０】
2010243666.tif 000012
【図１２】
2010243666.tif 000013
【図１１】
2010243666.tif 000014